(57)【特許請求の範囲】
【請求項１】
屋外廊下床のドレイン排水溝であって、部屋側から、外壁に沿って設けられている雨水排水側溝に向って躯体上にテープ状または板状の耐水部材を設け、該耐水部材面がドレイン排水溝の底部を形成するように一定の間隔をあけて該耐水部材の一部と躯体を覆うように床材を接着し、該耐水部材と床材とで形成される凹部を排水溝としたことを特徴とする屋外廊下床のドレイン排水溝の構造。
【請求項２】
該耐水部材と床材端面とを覆うようにシーリング剤または溶接材で被覆してなる請求項１記載の屋外廊下床のドレイン排水溝の構造。
【発明の詳細な説明】
【０００１】
【発明の属する技術分野】
本発明は、バルコニーやベランダなどの屋外廊下部分の床に設けるドレイン排水溝の構造に関する。
【０００２】
【従来の技術】
バルコニーなどの屋外廊下や通路の部分に、クーラーの室外機を設置し、この室外機からの排水を外壁に沿って設けられている雨水排水側溝に流すために、排水溝を設けることについていろいろの提案がなされている。
【０００３】
たとえば、登録実用新案第３０２７９１７号公報によれば、Ｖ字あるいはＵ字の溝を設けた排水溝型材を、その形状にあわせた状態に、躯体を掘削してはめ込む技術が提案されているが、躯体の掘削には手間がかかりかつ騒音を発生するという問題がある。
【０００４】
特開平１０−４６７６２号公報には、床のコンクリート下地に床シートを貼着する屋外廊下の床において、その床シートと同等ないしほぼ同等の厚さを有する帯状貼着板の表面に、幅方向の中央に材長方向に浅溝のドレイン排水路を形成したドレイン排水溝材を、前記コンクリート下地の適所に前記床シートの一部に代えて貼着するとともに、隣接する該ドレイン排水溝材と前記床シートとの縁部相互を溶着一体化させたドレイン排水溝付き屋外廊下の床が開示されている。この技術は、明らかに特定構造のドレイン排水溝材を利用するものである。
【０００５】
【発明が解決しようとする課題】
本発明の目的は、従来技術にみられるような特定構造のドレイン排水溝材を用いることなく、一枚の耐水部材と床材端部により凹溝を形成してドレイン排水溝材をその場で形成することができる構造を提案する点にある。
【０００６】
【課題を解決するための手段】
本発明の第一は、屋外廊下床のドレイン排水溝であって、部屋側から、外壁に沿って設けられている雨水排水側溝に向って躯体上にテープ状または板状の耐水部材を設け、該耐水部材面がドレイン排水溝の底部を形成するように一定の間隔をあけて該耐水部材の一部と躯体を覆うように床材を接着し、該耐水部材と床材とで形成される凹部を排水溝としたことを特徴とする屋外廊下床のドレイン排水溝の構造に関する。
【０００７】
本発明の第二は、該耐水部材と床材端面とを覆うようにシーリング剤または溶接材で被覆してなる請求項１記載の屋外廊下床のドレイン排水溝の構造に関する。
【０００８】
前記耐水部材を形成する材料としては、合成樹脂、不錆性金属、合成樹脂とその補強材（例えばガラス繊維の織布または不織布など）との積層体、合成樹脂と金属との積層体（例えば塩ビ鋼板など）などを挙げることができる。前記合成樹脂として好ましいものは、コストおよび加工性の点から塩化ビニル系樹脂、ポリエチレンなどのポリオレフィン系樹脂、エチレン−酢酸ビニル系共重合体などの熱可塑性樹脂、ＳＢＳ、ＮＢＳなどの各種合成ゴムあるいはこれらの混合物を挙げることができる。前記耐水部材はテープ状あるいは板状の形で適用する。前記耐水部材は置敷き方式でもよいが、躯体に接着することが好ましい。場合によっては液状の樹脂組成物を躯体に塗布、硬化させた形で耐水部材とすることもできる。
【０００９】
前記耐水部材の幅は、２０ｍｍ以上とすることが好ましい。その理由は、床材と耐水部材との接着部の幅は広い方が水密性がよくなるためである。
また、その厚さは通常０．３〜３．５ｍｍ、好ましくは０．５〜２．０ｍｍである。
【００１０】
床材は、屋外廊下の床として通常使用されているものなら格別の制限はない。代表的なものとしては、塩化ビニル系樹脂、ポリエチレンのようなポリオレフィン系樹脂（ポリオレフィン系樹脂を用いた床材料としては、本出願人の出願にかかる特願平１０−２３８０２５号、同１１−３３２３６３号、などが好ましい。）、酢酸ビニル−オレフィン共重合体、スチレン−ブタジエン共重合体（ブロック共重合体を含む）などの熱可塑性樹脂や合成ゴムを挙げることができる。
【００１１】
耐水部材や床材を躯体に接着するために用いる接着剤は、これら耐水部材と躯体あるいは床材と躯体にそれぞれ充分の親和性を有するとともに耐水性を有するもの、好ましくはさらに耐光性、耐候性を有するものを選択することが好ましい。このような観点で選択使用されているこの分野で用いられている接着剤はすべて使用できる。具体的な接着剤としては、エポキシ樹脂、ウレタン樹脂など耐水部材や床材と躯体の両者に親和性の高いものを選択して使用する。
【００１２】
シーリング剤は、耐水部材と床材の両方に親和性を有するものを選択して使用する。勿論このシーリング剤も耐水性、耐光性、耐候性を有するものであることが好ましい。具体的なシーリング剤としては、エポキシ系、ウレタン系あるいはシリコーン系のものなどを挙げることができる。また、シーリング剤にかえて、耐水部材と床材とを溶接できる溶接棒を用いて熱溶着することもできる。
【００１３】
本発明においては、図２に示すように耐水部材１と床材２とを溶着剤１１（溶剤単独あるいは樹脂を含有する溶剤である場合を含む）で接着するが、熱溶着することにより、両者を一体化させ、水密性を完全なものとすることもできる。床材や耐水性部材がともに塩化ビニル系樹脂の場合には、溶剤としてテトラヒドロフランあるいはシクロヘキサノンなどを用いて、あるいはこれに塩化ビニル系樹脂を溶解したものを用いて両者を接着することができる。また、使用している床材や耐水部材に対して接着性を有する接着剤を選択して両者を接着することができる。代表的な接着剤としては、エポキシ系接着剤、ウレタン系接着剤、酢酸ビニル系接着剤などを挙げることができ、また場合によってはホットメルト系接着剤も使用することができる。
【００１４】
【実施例】
以下に実施例を挙げて本発明を具体的に説明するが、本発明はこれにより何等限定されるものではない。
【００１５】
実施例１（図１〜３参照）
コンクリート製躯体５の外壁９〔外壁は図１の図示部分より上方にも連続して人が落ちない程度の高さを有する壁（図３参照）を形成しているが、雨水排水側溝を図示するため、躯体の床部分で切断した状態で図示しており、雨水排水側溝の側壁でもある。〕、外壁に沿って平行に設けられた側壁１０（雨水排水側溝の側壁でもある）および外壁に沿って平行に設けられている雨水排水側溝の底部８で構成された屋外廊下床の側溝にクーラーなどのドレイン排水を流すためのドレイン排水溝であり、３はシーリング剤である。
【００１６】
このようなドレイン排水溝を形成するためには、まず、幅５０ｍｍ、厚さ１ｍｍの塩化ビニル系樹脂シートよりなる耐水部材１をエポキシ系接着剤４（商品名タジマＥＰ−２０）を用いてコンクリート躯体５上に貼着し、その中心部を２０ｍｍ残して、図１〜３に示すように塩化ビニル系樹脂床材（厚さ２．５ｍｍ）を同じ接着剤４（商品名  タジマＥＰ−２０）を用いて、耐水部材１とコンクリート躯体５上に貼着し、水密性を確保するため耐水部材と塩化ビニル系樹脂床材とを溶着剤１１で溶着する。さらに、必要に応じて耐水部材１と塩化ビニル系樹脂床材２の接合部を一層完全にシールするためシーリング剤３を耐水部材と床材端部に塗布する。冷暖房機などのドレインを排出する排水ホース６は、ドレイン排水溝の窓下側にホース固定部材７を用いて固定する。
【００１７】
【効果】
本発明により、登録実用新案第３０２７９１７号や特開平１０−４６７６２号公報の技術に示されているようなドレイン排水溝専用部材を必要とすることなく、また工事中に騒音を発生することもなく、安価かつ簡単に施工が完了する。また、床材の厚みを有効に溝として利用できるので、余分な凸部の形成を必要とせず、つまづくことがなく安全であり、美感の上でも優れている。
【図面の簡単な説明】
【図１】屋外廊下床のドレイン排水溝が設けられているバルコニーの一部を示す斜視図である。
【図２】図１のＸ−Ｘ線断面図である。
【図３】図１のＹ−Ｙ線断面図である。
【符号の説明】
１  耐水部材
２  床材
３  シーリング剤
４  接着剤
５  躯体
６  クーラー等のドレイン排水ホース
７  ホース固定部材
８  外壁に沿って平行に設けられている雨水排水側溝の底部
９  外壁部分（雨水排水側溝の底部などを示すために、これより上方部分は切り取った形で図示している）
１０  外壁に沿って平行に設けられた側壁であって雨水排水側溝の内側の側壁を構成するもの
１１  溶着剤または接着剤
【図１】
0004369587.tif 000002
【図２】
0004369587.tif 000003
【図３】
0004369587.tif 000004